(57)【要約】【課題】レーザ照射ヘッド先端の内面形状を複雑にすることなく、少なくとも２つのワークの接合部位を効果的にレーザ接合するレーザ接合装置を提供する。【解決手段】レーザ照射ヘッド１ａに、該レーザ照射ヘッド１ａの移動に伴って回転し、レーザ２の光路を横切るように延びる回転軸５を備え、該回転軸５には、その周方向にレーザ透過部とレーザ遮断部とが交互に形成されるので、レーザ照射を連続的に作動させても、接合部位に間欠的にレーザ照射されるために、各ワーク３、４への反りやひずみを抑制することができる。【選択図】図１
2010137235.tif 000002
【特許請求の範囲】
【請求項１】
少なくとも２つのワークを接触させて、レーザ照射により各ワークを接合するレーザ接合装置であって、
該レーザ接合装置のレーザ照射ヘッドに、該レーザ照射ヘッドの移動に伴って回転し、レーザの光路を横切るように延びる回転軸を備え、該回転軸には、その周方向にレーザ透過部とレーザ遮断部とが交互に形成されることを特徴とするレーザ接合装置。
【請求項２】
前記回転軸は、レーザ照射ヘッド先端に回転自在に支持され、該回転軸には、レーザを透過し、ワーク上をレーザ照射ヘッドの移動に沿って加圧しながら転動するレーザ透過回転体が固定されることを特徴とする請求項１に記載のレーザ接合装置。
【請求項３】
前記回転軸をレーザ非透過材で構成し、前記レーザ透過部及びレーザ遮断部を前記回転軸に径方向に延びる貫通孔を設けることで構成することを特徴とする請求項１または２に記載のレーザ接合装置。
【請求項４】
少なくとも２つのワークを接触させて、レーザ照射により各ワークを接合するレーザ接合装置であって、
該レーザ接合装置のレーザ照射ヘッド先端には、レーザを透過し、ワーク上をレーザ照射ヘッドの移動に沿って加圧しながら転動するレーザ透過回転体が配置され、該レーザ透過回転体は、前記レーザ照射ヘッド先端に回転自在に支持される回転軸に固定されることを特徴とするレーザ接合装置。
【請求項５】
請求項１〜３のいずれかに記載のレーザ接合装置を使用して、少なくとも２つのワークをレーザ照射により接合するレーザ接合方法であって、
レーザ照射を連続的に作動させた状態で、各ワークの接合部位に間欠的にレーザ照射することを特徴とするレーザ接合方法。
【発明の詳細な説明】
【技術分野】
【０００１】
本発明は、少なくとも２つのワークを接触させて、レーザ照射により各ワークを接合するレーザ接合装置及び接合方法に関するものである。
【背景技術】
【０００２】
一般に、レーザ接合装置は、少なくとも２つのワークを接触させて、各ワークを接合する際に採用されている。例えば、ワークが２つの場合、一方のワークがレーザを透過する樹脂材からなる透過性部材であり、他方のワークがレーザを吸収する金属製からなる非透過性部材となる。そして、該レーザ接合装置により、レーザを一方のワーク側から照射すると、レーザが各ワークの接触面に集光して加熱溶融されて、各ワークが接触面でレーザ接合（溶着）される。
【０００３】
また、レーザ接合装置では、各ワークの接合部位をレーザ接合する際には、各ワークの接合部位を加圧して密着させることが重要になる。
そこで、従来のレーザ接合装置では、各ワークの接合部位を加圧密着する手段として、一方のワーク上からその略全体を押圧する押圧治具が採用されていた。しかしながら、該押圧治具では、接合部位が広い範囲に亘るものやワークが３次元形状を有するものの場合、押圧治具の製造及び設置等が大掛かりになってしまい、しかも、ワークの３次元形状に沿った押圧治具をその都度用意しなければならずコスト的に不利であった。さらには、押圧治具で覆われた部位は接合不可となり、接合部位が限定されてしまう。
【０００４】
この問題を解決すべく提案された従来技術として特許文献１には、接触面にレーザ光を集中させるための焦点機構を備えた加工用ヘッドと、レーザ光が透過するガラス球体と、被加工物品を相互に圧接させるためにガラス球体を被加工部品に圧接させる加圧機構とを備え、接合される位置へのレーザ光の偏向と、被加工物品の機械的相互圧接とが加工用ヘッドにより同時に実行されることが開示されている。
【特許文献１】特開２００４−１３６６７５号公報
【０００５】
また、従来のレーザ接合装置における他の問題として、特に、各ワークが樹脂材の場合には、接合部位にレーザが連続的（直線状）に照射されるために、各ワークに過大な応力が作用した場合その応力を逃がすことができず、各ワークに反りやひずみが生じることがあり問題であった。
【発明の開示】
【発明が解決しようとする課題】
【０００６】
しかしながら、各ワークの接合部位を加圧密着させる手段として、上述した特許文献１の発明では、ガラス球体を回転自在に支持するヘッド先端部の内面を精度良く球面加工する必要があり、製造コストがアップする要因となる。
また、従来のレーザ接合装置では、上述したように、特に、各ワークが樹脂材の場合、各ワークに反りやひずみが生じることがあり問題であった。この問題の解決手段として、レーザ照射をＯＮ−ＯＦＦ作動させて、接合部位に間欠的にレーザ照射する方法が考慮されるが、レーザ照射に係る制御が複雑化し、レーザ出力も安定せず、接合部位に不具合が発生する虞がある。
【０００７】
本発明は、かかる点に鑑みてなされたものであり、レーザ照射ヘッド先端の内面形状を複雑にすることなく、少なくとも２つのワークの接合部位を効果的にレーザ接合するレーザ接合装置及び接合方法を提供することを目的とする。
【課題を解決するための手段】
【０００８】
上記課題を解決するために、本発明の第１のレーザ接合装置は、該レーザ接合装置のレーザ照射ヘッドに、該レーザ照射ヘッドの移動に伴って回転し、レーザの光路を横切るように延びる回転軸を備え、該回転軸には、その周方向にレーザ透過部とレーザ遮断部とが交互に形成されることを特徴としている。
これにより、例えば、各ワークの接合部位を加圧しながら転動するレーザ透過回転体を回転軸に支持させることで、レーザ照射ヘッド先端の内面形状を複雑にすることなく、前記レーザ透過回転体をレーザ照射ヘッド先端に回転自在に支持することができる。
しかも、レーザ照射を連続的に作動させても、各ワークの接合部位に間欠的にレーザ照射されるために、各ワークへの反りやひずみを抑制することができる。
また、本発明の第２のレーザ接合装置は、該レーザ接合装置のレーザ照射ヘッド先端には、レーザを透過し、ワーク上をレーザ照射ヘッドの移動に沿って加圧しながら転動するレーザ透過回転体が配置され、該レーザ透過回転体は、前記レーザ照射ヘッド先端に回転自在に支持される回転軸に固定されることを特徴としている。
これにより、レーザ照射ヘッド先端の内面形状を複雑にすることなく、レーザ透過回転体をレーザ照射ヘッド先端に回転自在に支持することができる。
さらに、本発明のレーザ接合方法は、前記第１のレーザ接合装置を使用して、少なくとも２つのワークをレーザ照射により接合するレーザ接合方法であって、レーザ照射を連続的に作動させた状態で、各ワークの接合部位に間欠的にレーザ照射することを特徴としている。
これにより、レーザ接合する際、各ワークへの反りやひずみを抑制することができる。
なお、本発明のレーザ接合装置及び接合方法の各種態様およびそれらの作用については、以下の発明の態様の項において詳しく説明する。
【０００９】
（発明の態様）
以下に、本願において特許請求が可能と認識されている発明（以下、「請求可能発明」という場合がある。）の態様をいくつか例示し、それらについて説明する。なお、各態様は、請求項と同様に、項に区分し、各項に番号を付して、必要に応じて他の項を引用する形式で記載する。これは、あくまでも請求可能発明の理解を容易にするためであり、請求可能発明を構成する構成要素の組み合わせを、以下の各項に記載されたものに限定する趣旨ではない。つまり、請求可能発明は、各項に付随する記載、実施の形態等を参酌して解釈されるべきであり、その解釈に従う限りにおいて、各項の態様にさらに他の構成要件を付加した態様も、また、各項の態様から構成要件を削除した態様も、請求可能発明の一態様となり得るのである。なお、以下の各項において、（１）項乃至（４）項の各々が、請求項１乃至４の各々に相当し、（７）項が請求項５に相当する。
【００１０】
（１）少なくとも２つのワークを接触させて、レーザ照射により各ワークを接合するレーザ接合装置であって、該レーザ接合装置のレーザ照射ヘッドに、該レーザ照射ヘッドの移動に伴って回転し、レーザの光路を横切るように延びる回転軸を備え、該回転軸には、その周方向にレーザ透過部とレーザ遮断部とが交互に形成されることを特徴とするレーザ接合装置。
（１）項のレーザ接合装置では、例えば、各ワークの接合部位を加圧しながら転動するレーザ透過回転体を回転軸に支持させることで、レーザ照射ヘッド先端の内面形状を複雑にすることなく、前記レーザ透過回転体をレーザ照射ヘッド先端に回転自在に支持することができる。
しかも、レーザ照射を連続的に作動させても、回転軸がレーザ照射ヘッドの移動に伴って回転し、レーザの光路に対して回転軸のレーザ透過部とレーザ遮断部とが交互に対向するので、各ワークの接合部位に間欠的にレーザ照射され、各ワークへの反りやひずみを抑制することができる。
【００１１】
（２）前記回転軸は、レーザ照射ヘッド先端に回転自在に支持され、該回転軸には、レーザを透過し、ワーク上をレーザ照射ヘッドの移動に沿って加圧しながら転動するレーザ透過回転体が固定されることを特徴とする（１）項に記載のレーザ接合装置。
（２）項のレーザ接合装置では、レーザ照射ヘッド先端に回転自在に支持される回転軸に各ワークの接合部位を加圧しながら転動するレーザ透過回転体が固定されるので、大掛かりな押圧治具を使用することなく、容易に各ワークの接合部位を加圧密着させることができる。
【００１２】
（３）前記回転軸をレーザ非透過材で構成し、前記レーザ透過部及びレーザ遮断部を前記回転軸に径方向に延びる貫通孔を設けることで構成することを特徴とする（１）項または（２）項に記載のレーザ接合装置。
（３）項のレーザ接合装置では、簡素な構造で、回転軸の周方向にレーザ透過部とレーザ遮断部とを交互に形成することができる。
【００１３】
（４）少なくとも２つのワークを接触させて、レーザ照射により各ワークを接合するレーザ接合装置であって、該レーザ接合装置のレーザ照射ヘッド先端には、レーザを透過し、ワーク上をレーザ照射ヘッドの移動に沿って加圧しながら転動するレーザ透過回転体が配置され、該レーザ透過回転体は、前記レーザ照射ヘッド先端に回転自在に支持される回転軸に固定されることを特徴とするレーザ接合装置。
（４）項のレーザ接合装置では、レーザ透過回転体が固定される回転軸がレーザ照射ヘッド先端に回転自在に支持されるので、レーザ照射ヘッド先端の形状が複雑化することはない。
【００１４】
（５）前記レーザ透過回転体は、球状または円柱状に形成され、該レーザ透過回転体の両端に、前記レーザ照射ヘッド先端に回転自在に支持される回転軸がそれぞれ固定されることを特徴とする（４）項に記載のレーザ接合装置。
（５）項のレーザ接合装置では、構造が簡素化されて実用的である。
【００１５】
（６）前記レーザ透過回転体は、球状または円柱状に形成され、屈折率の相違するレーザ透過体がレーザの光路に沿って複数積層されて構成され、該レーザ透過回転体の内部に、前記レーザ照射ヘッド先端に回転自在に支持される回転軸が挿通して固定されることを特徴とする（４）項に記載のレーザ接合装置。
（６）項のレーザ接合装置では、回転軸の剛性が向上する。
【００１６】
（７）（１）項〜（３）項のいずれかに記載のレーザ接合装置を使用して、少なくとも２つのワークをレーザ照射により接合するレーザ接合方法であって、レーザ照射を連続的に作動させた状態で、各ワークの接合部位に間欠的にレーザ照射することを特徴とするレーザ接合方法。
（７）項のレーザ接合方法では、各ワークの接合部位に間欠的にレーザ照射されるので、各ワークへの反りやひずみを抑制することができる。
【発明の効果】
【００１７】
本発明によれば、レーザ照射ヘッド先端の内面形状を複雑にすることなく、少なくとも２つのワークの接合部位を効果的にレーザ接合するレーザ接合装置及び接合方法を提供することができる。
【発明を実施するための最良の形態】
【００１８】
以下、本発明を実施するための最良の形態を図１〜図７に基いて詳細に説明する。
本発明の実施の形態に係るレーザ接合装置には、図１、図４及び図６に示すように、第１〜第３の実施形態に係るレーザ照射ヘッド１ａ、１ｂ、１ｃのいずれかが備えられており、少なくとも２つのワーク３、４を接触させて、レーザ照射により各ワーク３、４を接合するものである。なお、本実施の形態では、図１に示すように、ワーク３、４は２つであり、一方のワーク３がレーザ２を透過する樹脂材からなるレーザ透過性部材であり、他方のワーク４がレーザ２を吸収する金属製からなるレーザ非透過性部材である。
【００１９】
まず、本発明の第１の実施形態に係るレーザ照射ヘッド１ａを図１〜図３に基いて説明する。
第１の実施形態に係るレーザ照射ヘッド１ａには、図１に示すように、その先端部にレーザ照射ヘッド１ａの移動に伴って回転し、レーザ２の光路を横切るように延びる回転軸５ａが備えられている。該回転軸５ａは、金属製などのレーザ非透過材で形成されている。また、該回転軸５ａに径方向に延びる貫通孔６を設けることで、回転軸５ａの周方向にレーザ透過部及びレーザ遮断部が交互に配置するようにしている。すなわち、図２は図１のＡ−Ａ矢視図であるが、回転軸５ａが、図２（ａ）の位置に達するとレーザ２が回転軸５ａの貫通孔６を通過し、回転軸５ａが、図２（ｂ）の位置に達するとレーザ２が回転軸５ａにより遮断される。このように、回転軸５ａに設けた径方向に延びる貫通孔６がレーザ透過部に相当し、回転軸５ａに設けた貫通孔６の両開口の間の部位がレーザ遮断部に相当する。
【００２０】
さらに、詳しく第１の実施形態に係るレーザ照射ヘッド１ａを説明する。
第１の実施形態に係るレーザ照射ヘッド１ａは、図１に示すように、例えば、半導体レーザ、ＹＡＧレーザ等の赤外線レーザ２がファイバ搬送される搬送本体部８の先端部に係合される円筒状のヘッド部９と、搬送本体部８の先端とヘッド部９の基端との間に配置され、ヘッド部９を一方のワーク３側に付勢する付勢手段としての圧縮スプリング１０と、ヘッド部９内で、光ファイバ１１で搬送されたレーザ２を集光させる集光レンズ１２と、レーザ２を透過し、一方のワーク３上をレーザ照射ヘッド１ａの移動に沿って転動するレーザ透過回転体１５と、該レーザ透過回転体１５内に挿通されて固定され、レーザ２の光路を横切るように延びヘッド部９の先端に回転自在に支持される回転軸５ａとを備えている。
【００２１】
搬送本体部８は、光ファイバ１１が延びるファイバ通路１６を有している。搬送本体部８の先端部の外周面には、環状凹部１７が形成される。また、搬送本体部８の環状凹部１７から先端側部位は、ヘッド部９との係合フランジ部１８として機能し、該係合フランジ部１８の外径は、搬送本体部８の外径よりも小径に形成される。  
【００２２】
ヘッド部９は、円筒状に形成される。該ヘッド部９の基端には、搬送本体部８の係合フランジ部１８と係合する係合フランジ部１９が内方に向かって形成される。また、ヘッド部９内の大径部と小径部との間には仕切板２１が備えられている。該仕切板２１には、光ファイバ１１の先端を支持する支持孔２０が形成される。さらに、ヘッド部９内で仕切板２１の下方に、光ファイバ１１で搬送されたレーザ２の径を収束させる集光レンズ１２が備えられている。
そして、搬送本体部８の係合フランジ部１８をヘッド部９内に挿入して、搬送本体部８の係合フランジ部１８とヘッド部９の係合フランジ部１９とを係合させる。また、搬送本体部８の環状凹部１７に、ヘッド部９の係合フランジ部１９に当接するように圧縮スプリング１０が組み込まれ、該圧縮スプリング１０によりヘッド部９が常時一方のワーク３側に付勢されるようになる。
【００２３】
回転軸５ａは、鉄やステンレス等の金属製からなるレーザ非透過材で形成される。該回転軸５ａは、レーザ２の光路を横切るように延び、ヘッド部９先端の両内壁部に回転自在に支持される。該回転軸５ａには、径方向に貫通される貫通孔６が形成されている。該貫通孔６は、レーザ２と対向できる位置に形成される。
レーザ透過回転体１５は、レーザを透過する材料で構成される。また、レーザ透過回転体１５は円柱状に形成され、軸方向に回転軸５ａが挿通されて固定される。この固定手段は、ねじ込み等の機械的固定、レーザ固定または接着剤固定等が採用される。
なお、レーザ透過回転体１５は、レーザを透過する材料としてポリプロピレン（ＰＰ）、ポリアミド（ＰＡ）、ポリエチレン（ＰＥ）、ポリカボネート（ＰＣ）、ＡＢＳ樹脂、ポレエチレンテレフタレート（ＰＥＴ）、アクリル樹脂等の合成樹脂、あるいは石英ガラス、ほう珪酸ガラス等のガラス部材が採用される。また、レーザ透過回転体１５は、本実施の形態では円柱状に形成されているが、球状または楕円球状に形成されてもよい。
【００２４】
そして、本発明の第１の実施形態に係るレーザ照射ヘッド１ａを備えたレーザ接合装置により各ワーク３、４の接合部位をレーザ接合する際には、レーザ照射ヘッド１ａのレーザ透過回転体１５を一方のワーク３上の所定位置に配置する。この時、圧縮スプリング１０によりヘッド部９が一方のワーク３側に付勢されることから、レーザ透過回転体１５が一方のワーク３を押圧するようになる。
その後、レーザ照射が開始されると共に、図３に示すように、レーザ照射ヘッド１ａを接合部位に沿って移動させる（図３の矢印Ｂ）。すると、レーザ透過回転体１５が一方のワーク３上を該ワーク３を加圧しながら転動する。これと同時に、搬送本体部８内の光ファイバ１１にて搬送されたレーザ２は、仕切板２１の支持孔２０から集光レンズ１２にてその径が収束するように屈折されて、レーザ透過回転体１５を介して回転軸５ａまで到達する。
【００２５】
一方、回転軸５ａは、レーザ照射ヘッド１ａの移動に伴ってレーザ透過回転体１５と共に回転しており、レーザ２の光路に回転軸５ａの貫通孔６が対向した時（図２（ａ）の状態）にだけ、レーザ２が貫通孔６を介して各ワーク３、４の接触面に集光して各ワーク３、４の接触面がレーザ接合される。
これにより、各ワーク３、４の接合部位がレーザ透過回転体１５により加圧されつつ、レーザ２が回転軸５ａの回転に伴って間欠的に各ワーク３、４の接触面に集光するため、各ワーク３、４は接合部位において間欠的にレーザ接合されることになる。
【００２６】
以上説明したように、本発明の第１の実施形態に係るレーザ照射ヘッド１ａは、少なくとも、搬送本体部８の先端とヘッド部９の基端との間に配置される、ヘッド部９を一方のワーク３側に付勢する圧縮スプリング１０と、レーザ２を透過し、一方のワーク３上をレーザ照射ヘッド１ａの移動に沿って転動するレーザ透過回転体１５と、該レーザ透過回転体１５内に挿通されて固定され、レーザ２の光路を横切るように延びヘッド部９の先端に回転自在に支持される回転軸５ａとを備えており、回転軸５ａに径方向に延びる貫通孔６を設け、該貫通孔６により回転軸５ａの周方向にレーザ透過部とレーザ遮断部とを交互に形成している。
これにより、各ワーク３、４の接合部位を加圧するレーザ透過回転体１５は、その内部にヘッド部９先端に回転自在に支持される回転軸５ａが挿通されて固定されるので、従来のように、ヘッド部９の先端を複雑な形状に形成する必要がなく、その構造を簡素化することができる。
しかも、各ワーク３、４の接合部位は、加圧されながら間欠的にレーザ接合されることになり、各ワーク３、４への反りやひずみを最小限にして効果的にレーザ接合することができる。
【００２７】
なお、本発明の第１の実施形態に係るレーザ照射ヘッド１ａでは、レーザ透過回転体１５を備えており、最も好ましい形態であるが、必ずしもレーザ透過回転体１５を備える必要はない。
【００２８】
次に、第２の実施形態に係るレーザ照射ヘッド１ｂを図４及び図５に基いて説明する。
第２の実施形態に係るレーザ照射ヘッド１ｂの説明の際には、第１の実施形態に係るレーザ照射ヘッド１ａとの相違点のみを説明する。
第２の実施形態に係るレーザ照射ヘッド１ｂでは、図４に示すように、ヘッド部９の先端に、円柱状のレーザ透過回転体１５が配置される。該レーザ透過回転体１５の軸方向両端には、レーザ非透過材からなる回転軸５ｂの一端がそれぞれ固定される。また、各回転軸５ｂの他端は、ヘッド部９先端の両内壁部に回転自在に支持される。なお、レーザ透過回転体１５は、本実施の形態では円柱状に形成されているが、球状または楕円球状に形成されてもよい。
【００２９】
そして、本発明の第２の実施形態に係るレーザ照射ヘッド１ｂを備えたレーザ接合装置により各ワーク３、４の接合部位をレーザ接合する際には、レーザ照射が開始されると共に、図５に示すように、レーザ照射ヘッド１ｂを接合部位に沿って移動させる（図５の矢印Ｂ）。すると、レーザ透過回転体１５が一方のワーク３上を該ワーク３を加圧しながら転動する。これと同時に、搬送本体部８内の光ファイバ１１にて搬送されたレーザ２は、仕切板２１の支持孔２０から集光レンズ１２にてその径が収束するように屈折されて、レーザ透過回転体１５を介して各ワーク３、４の接触面に集光し各ワーク３、４の接触面がレーザ接合される。
これにより、各ワーク３、４の接合部位がレーザ透過回転体１５により加圧されながら、レーザ２により各ワーク３、４の接合部位が連続的にレーザ接合されることになる。
【００３０】
以上説明したように、本発明の第２の実施形態に係るレーザ照射ヘッド１ｂは、少なくとも、搬送本体部８の先端とヘッド部９の基端との間に配置され、ヘッド部９を一方のワーク３側に付勢する圧縮スプリング１０と、レーザ２を透過し、一方のワーク３上をレーザ照射ヘッド１ｂの移動に沿って転動するレーザ透過回転体１５とを備えており、該レーザ透過回転体１５は、その軸方向の両端に、ヘッド部９先端に回転自在に支持される回転軸５ｂがそれぞれ固定されるので、従来のように、ヘッド部９の先端を複雑な形状に形成する必要がなく、その構造を簡素化することができる。
【００３１】
次に、第３の実施形態に係るレーザ照射ヘッド１ｃを図６及び図７に基いて説明する。
第３の実施形態に係るレーザ照射ヘッド１ｃの説明の際には、第１の実施形態に係るレーザ照射ヘッド１ａとの相違点のみを説明する。
第３の実施形態に係るレーザ照射ヘッド１ｃでは、図６及び図７に示すように、ヘッド部９の先端に、円柱状のレーザ透過回転体１５’が配置される。該レーザ透過回転体１５’は、レーザ２の光路に沿って屈折率の相違するレーザ透過材２５、２６を複数積層（本実施の形態では２層）して構成されている。また、レーザ透過回転体１５’は、レーザ非透過材からなる回転軸５ｃが挿通されて固定されている。回転軸５ｃの両端は、ヘッド部９先端の両内壁部に回転自在に支持されている。
レーザ透過回転体１５’を構成する屈折率の相違する各レーザ透過材２５、２６は、外側のレーザ透過材２５の屈折率が内側のレーザ透過材２６の屈折率よりも大きくなるように設定される。なお、レーザ透過回転体１５’は、本実施の形態では円柱状に形成されているが、球状または楕円球状に形成されてもよい。
【００３２】
そして、本発明の第３の実施形態に係るレーザ照射ヘッド１ｃを備えたレーザ接合装置により各ワーク３、４の接合部位をレーザ接合する際には、レーザ照射が開始されると共に、レーザ照射ヘッド１ｃを接合部位に沿って移動させる。すると、レーザ透過回転体１５’が一方のワーク３上を該ワーク３を加圧しながら転動する。これと同時に、搬送本体部８内の光ファイバ１１にて搬送されたレーザ２は、仕切板２１の支持孔２０から集光レンズ１２にてその径が収束するように屈折される。その後、レーザ２はレーザ透過回転体１５’を、各レーザ透過体２５、２６それぞれの屈折率に基いて屈折しながら通過し、各ワーク３、４の接触面に集光して各ワーク３、４の接触面がレーザ接合される。
これにより、各ワーク３、４の接合部位がレーザ透過回転体１５’により加圧されながら、レーザ２により各ワーク３、４の接合部位が連続的にレーザ接合されることになる。
【００３３】
以上説明したように、本発明の第３の実施形態に係るレーザ照射ヘッド１ｃでは、第２の実施形態に係るレーザ照射ヘッド１ｂの作用効果に加えて、回転軸５ｃの剛性を向上させることができる。
【図面の簡単な説明】
【００３４】
【図１】図１は、本発明の実施の形態に係るレーザ接合装置に採用される第１の実施形態に係るレーザ照射ヘッドの軸断面図である。
【図２】図２は、図１のＡ−Ａ矢視図である。
【図３】図３は、第１の実施形態に係るレーザ照射ヘッドにより各ワークの接合部位がレーザ接合される様子を示す図である。
【図４】図４は、本発明の実施の形態に係るレーザ接合装置に採用される第２の実施形態に係るレーザ照射ヘッドの軸断面図である。
【図５】図５は、第２の実施形態に係るレーザ照射ヘッドにより各ワークの接合部位がレーザ接合される様子を示す図である。
【図６】図６は、本発明の実施の形態に係るレーザ接合装置に採用される第３の実施形態に係るレーザ照射ヘッドの軸断面図である。
【図７】図７は、第３の実施形態に係るレーザ照射ヘッドに採用されるレーザ透過回転体の軸直交断面図である。
【符号の説明】
【００３５】
１ａ，１ｂ，１ｃ  レーザ照射ヘッド，２  レーザ，３、４  ワーク，５ａ、５ｂ、５ｃ  回転軸，６  貫通孔，９  ヘッド部，１０  圧縮スプリング，１１  光ファイバ，１５、１５’  レーザ透過回転体
【図１】
2010137235.tif 000003
【図２】
2010137235.tif 000004
【図３】
2010137235.tif 000005
【図４】
2010137235.tif 000006
【図５】
2010137235.tif 000007
【図６】
2010137235.tif 000008
【図７】
2010137235.tif 000009